(57)【特許請求の範囲】
【請求項１】
第１の中継衛星に広域番組を第１の衛星通信用電波信号に変換して送信する第１の伝送装置を具備する第１のスタジオ、当該第１のスタジオが送信した前記広域番組の前記第１の衛星通信用電波信号を前記第１の中継衛星を介して受信して、地上デジタルの第１の放送用電波信号に変換して第１の中継送信機に出力する第１の受信機と、前記第１の放送用電波信号を前記広域番組の放送圏内に放送する前記第１の中継送信機とを具備する第１の送信所を少なくとも有する親局である広域番組の放送局、
第２のスタジオ内でそれぞれ編集または制作された所定の地方向けのローカル番組について当該所定の地方向けのローカル番組の記録先の情報と放送する時間の情報を第２の再生制御情報として指定する記録再生指定部と、第２の中継衛星に前記ローカル番組を前記第２の再生制御情報と共に第２の衛星通信用電波信号に変換して送信する第２の伝送装置とを具備する前記所定の地方向けの前記第２のスタジオ、前記第１のスタジオが送信した前記広域番組の前記第１の衛星通信用電波信号を前記第１の中継衛星を介して受信して、地上デジタルの第１の放送用電波信号に変換し第２の選択器に出力する第３の受信機と、前記第２のスタジオが送信した前記第２の衛星通信用電波信号を前記第２の中継衛星を介して受信して、地上デジタルの第２の放送用電波信号に変換し第２の再生制御器および第２の記録器並びに前記第２の選択器に出力する第２の受信機と、前記第２の放送用電波信号の前記第２の再生制御情報を抽出し、抽出した前記第２の再生制御情報を前記第２の記録器と前記第２の選択器に出力する前記第２の再生制御器と、前記第２の再生制御情報に基づいて前記第２の放送用電波信号を記録して前記第２の選択器に出力する前記第２の記録器と、前記第２の再生制御情報に基づいて前記第１の放送用電波信号と前記第２の放送用電波信号とを切替えて出力する前記第２の選択器と、前記第２の選択器から出力される信号を前記所定のローカル番組の放送圏内に放送する第２の中継送信機とを具備する前記所定の地方向けの第２の送信所を少なくとも有する前記親局に対して子局である複数の所定の地方向けのそれぞれのローカル放送局、を備え、
前記所定の地方向けの前記ローカル放送局の、前記第２のスタジオの前記第２の伝送装置は、前記所定の地方向けの前記ローカル番組を放送前に圧縮して前記第２の中継衛星を介して中継して前記第２の送信所に送信し、前記第２の送信所の前記第２の記録器は、前記圧縮されたローカル番組を伸長して前記ローカル番組の放送前に記録し、前記第２の選択器は、前記第２の再生制御器の制御に基づいて、前記広域番組と前記第２の記録器から再生伸張された前記ローカル番組を切替えて前記第２の中継送信機に出力することを特徴とする伝送システム。
【請求項２】
広域番組を第１の衛星通信用電波信号に変換して第１の中継衛星に送信する第１の伝送装置を具備する第１のスタジオ、当該第１のスタジオが送信した前記第１の衛星通信用電波信号を前記第１の中継衛星を介して受信して、地上デジタルの広域番組の放送用電波信号に変換する第１の受信機と、前記広域番組の放送用電波信号を前記広域番組の放送圏内に放送する第１の中継送信機と、前記広域番組の放送用電波信号の第１の再生制御情報を抽出し、抽出した前記第１の再生制御情報を出力する第１の再生制御器と、第１の記録器と第１の選択器とを具備する第１の送信所を少なくとも有する親局である広域番組の放送局、
所定の地方向けのローカル番組について、当該所定の地方向けのローカル番組を記録する第２の記録器を指定した情報と当該所定の地方向けのローカル番組を放送する時刻を指定した情報とを第２の再生制御情報として当該所定の地方向けのローカル番組に挿入する第２の記録再生指定部と、前記第２の再生制御情報を挿入された前記所定の地方向けのローカル番組を第２の衛星通信用電波信号に変換して前記第１の中継衛星に送信する第２の伝送装置を具備する前記所定の地方向けの第２のスタジオ、前記第１のスタジオが送信した前記第１の衛星通信用電波信号を前記第１の中継衛星を介して受信して、地上デジタルの所定の地方向けの第１の放送用電波信号に変換し、前記所定の地方向けの第２のスタジオが送信した前記第２の衛星通信用電波信号を前記第１の中継衛星を介して受信して、地上デジタルの所定の地方向けの第２の放送用電波信号に変換する第２の受信機と、前記所定の地方向けの第２の放送用電波信号の前記第２の再生制御情報を抽出し、抽出した前記第２の再生制御情報を出力する第２の再生制御器と、前記第２の再生制御情報に基づいて前記所定の地方向けの第２の放送用電波信号を記録して出力する前記第２の記録器と、前記第２の再生制御情報に基づいて前記所定の地方向けの第１の放送用電波信号と前記第２の記録器が出力する前記所定の地方向けの第２の放送用電波信号とを切替えて出力する第２の選択器と、前記第２の選択器から出力される信号を前記所定の地方向けのローカル番組の放送圏内に放送する第２の中継送信機とを具備する前記所定の地方向けの第２の送信所を少なくとも有する前記親局に対して子局である複数の所定の地方向けのそれぞれのローカル放送局、を備え、
前記第１のスタジオの前記第１の伝送装置は、前記広域番組の放送局にだけ、個別選択される番組を圧縮して送信し、他の番組を非圧縮で送信し、
前記第２のスタジオの前記第２の伝送装置は、前記ローカル放送局ごとに個別選択される番組を圧縮して送信し、
前記第１のスタジオの前記第１の送信所の前記第１の受信機は、変換した前記所定の地方向けの第１の放送用電波信号のうち、圧縮されている番組を前記第１の記録器に出力し、圧縮されていない番組を前記第１の選択器に出力し、かつ圧縮されている番組か圧縮されていない番組かを示す第１の圧縮／非圧縮番組情報を前記第１の再生制御器に出力し、前記第１の再生制御器は、前記第１の圧縮／非圧縮番組情報に基づいて前記第１の選択器を制御し、前記第１の選択器は、前記第１の再生制御情報に基づいて入力された番組を切替えて前記第１の中継送信機に出力し、
前記所定の地方向けのそれぞれの前記第２のスタジオの前記第２の送信所の前記第２の受信機は、変換した前記所定の地方向けの第１の放送用電波信号及び前記所定の地方向けの第２の放送用電波信号のうち、圧縮されている番組を前記第２の記録器に出力し、圧縮されていない番組を前記第２の選択器に出力し、かつ圧縮されている番組か圧縮されていない番組かを示す第２の圧縮／非圧縮番組情報を前記第２の再生制御器に出力し、前記第２の再生制御器は、前記第２の圧縮／非圧縮番組情報に基づいて前記第２の選択器を制御し、前記第２の選択器は、前記第２の再生制御情報に基づいて入力された番組を切替えて前記第２の中継送信機に出力することを特徴とする伝送システム。
【請求項３】
広域番組について、当該広域番組を記録する第１及び第２の記録器を指定した情報と当該広域番組を放送する時刻を指定した情報とを第１の再生制御情報として挿入する第１の記録再生指定部と、前記第１の記録再生指定部及び第２の記録再生指定部から入力された前記広域番組または所定の地方向けのローカル番組を番組表の順番に出力する切替選択部と、前記切替選択部から出力される前記広域番組または前記所定の地方向けのローカル番組を衛星通信用電波信号に変換して中継衛星に送信する伝送装置とを具備する第１のスタジオ、
当該第１のスタジオが送信した前記衛星通信用電波信号を前記中継衛星を介して受信して、地上デジタルの第１の放送用電波信号に変換し、変換した前記第１の放送用電波信号のうち、圧縮されている番組を前記第１の記録器に出力し、圧縮されていない番組を第１の選択器に出力し、かつ圧縮されている番組か圧縮されていない番組かを示す第１の圧縮／非圧縮番組情報を第１の再生制御器に出力する第１の受信機と、前記第１の放送用電波信号の前記第１の再生制御情報を抽出し、抽出した前記第１の再生制御情報を出力する前記第１の再生制御器と、前記第１の再生制御情報に基づいて前記第１の放送用電波信号の前記圧縮された番組を記録して第１の番組として出力する前記第１の記録器と、前記第１の再生制御情報に基づいて前記第１の放送用電波信号の前記圧縮されていない番組と前記第１の番組とを切替えて出力する前記第１の選択器と、前記第１の選択器から出力される前記第１の放送用電波信号を前記広域番組の放送圏内に放送する第１の中継送信機とを具備する第１の送信所を少なくとも有する親局である前記広域番組の放送局、
前記所定の地方向けのローカル番組について、当該所定の地方向けのローカル番組を記録する前記第２の記録器を指定した情報と当該所定の地方向けのローカル番組を放送する時刻を指定した情報とを第２の再生制御情報として当該所定の地方向けのローカル番組に挿入し、当該第２の再生制御情報を挿入された前記所定の地方向けのローカル番組を前記切替選択部に広域回線を介して送信する第２の記録再生指定部を具備する前記所定の地方向けの第２のスタジオ、
前記第１のスタジオが送信した前記衛星通信用電波信号を前記中継衛星を介して受信して、地上デジタルの第２の放送用電波信号に変換し、変換した前記第２の放送用電波信号のうち、圧縮されている番組を前記第２の記録器に出力し、圧縮されていない番組を第２の選択器に出力し、かつ圧縮されている番組か圧縮されていない番組かを示す第２の圧縮／非圧縮番組情報を第２の再生制御器に出力する第２の受信機と、前記第２の放送用電波信号の前記第２の再生制御情報を抽出し、抽出した前記第２の再生制御情報を出力する前記第２の再生制御器と、前記第２の再生制御情報に基づいて前記第２の放送用電波信号を記録して第２の番組として出力する前記第２の記録器と、前記第２の再生制御情報に基づいて前記第２の放送用電波信号の前記圧縮されていない番組と前記第２の番組とを切替えて出力する前記第２の選択器と、前記第２の選択器から出力される前記第２の放送用電波信号を前記所定の地方向けのローカル番組の放送圏内に放送する第２の中継送信機とを具備する前記所定の地方向けの第２の送信所を少なくとも有する前記親局に対して子局である複数の所定の地方向けのローカル放送局、を備えたことを特徴とする伝送システム。
【請求項４】
請求項３に記載の伝送システムにおいて、さらに、
前記第１のスタジオは、前記第１の記録再生指定部の前段に第１の縮小器を具備し、前記所定の地方向けの第２のスタジオは、前記第２の記録再生指定部の前段に第２の縮小器を具備し、
前記第１の縮小器は、前記広域番組のデータ量を縮小し前記第１の記録再生指定部に出力し、
前記第２の縮小器は、前記ローカル番組のデータ量を縮小し前記第２の記録再生指定部に出力し、
前記第１及び第２の縮小器は、それぞれ入力された番組のデータから不要なＮＵＬＬを検出するＮＵＬＬ検出部と、検出したＮＵＬＬを削除するＮＵＬＬ削除部を具え、前記入力された番組のデータから不要なＮＵＬＬを削除することを特徴とする伝送システム。
【発明の詳細な説明】
【技術分野】
【０００１】
本発明は、放送局のスタジオから送信所へ放送番組を伝送し、伝送した放送番組を中継送信所から地上デジタル放送するための伝送システムに関わり、特に、複数の放送局において、衛星を使用して、スタジオから送信所へ放送番組を送信する伝送システムに関する。
【背景技術】
【０００２】
テレビ番組は、親局と子局の関係にあっても、一般的に、全国一律の放送とはならない。親局は広域向け放送を行い、各子局（各地方局）はローカル放送を行う。ローカル放送とは、例えば、地方局が、一部時間帯に、それぞれの地方毎に異なるニュース、天気予報、コマーシャル、その他、それぞれの地方限定の番組を放送することである。
【０００３】
ところで、まず、テレビの番組放送は、放送局のスタジオから送信所へ送信する必要がある。また、スタジオは、通常、平地、低地等や、市街区域等、住民が交通し易い場所に設置されることが多い。しかし、送信所は、その放送電波が広範囲に伝播し易い、山頂等の高度の高い場所に設置されることが多い。
スタジオから送信所への伝送方法として、衛星中継を利用した伝送方法が使用されている場合がある。また一般的に、スタジオから衛星を介して中継する番組データ列は、地上デジタル放送の信号形式と異なる信号形式を用いる（特許文献１参照。）。
例えば、親局は、広域向け放送として、伝送媒体（衛星帯域）を使用して番組データを送信する。地方向けの場合も、各地方局は、そのローカル枠で放送する番組（ローカル番組）が広域放送で放送する番組（広域番組）と異なることから、番組データ列も、親局及び子局それぞれで異なる扱いで送信する。このため、それぞれの番組データ列を別々に、伝送媒体（衛星帯域）を使用する。
伝送形態として、衛星中継を利用する他に、地上マイクロ回線を使用して中継することも考えられる。しかし、地上マイクロ回線より伝播距離が長い衛星中継が有利である。
【０００４】
図１５によって、従来の衛星中継を伝送媒体として使用する場合の伝送システムの一例を説明する。図１５は、従来のスタジオから送信所までの伝送について説明するための模式図である。１５１１は広域番組の放送局の番組を編集または制作するスタジオの伝送装置（ＴＸ）、１５１２は衛星（ｃｈ１）、１５１３は広域番組の送信所の受信装置（ＲＸ）、１５１４は送信所の広域番組を放送する中継送信機である。また、１５２１はｉ地方向けの放送局の番組を編集または制作するスタジオの伝送装置（ＴＸ）、１５２２は衛星（ｃｈ２）、１５２３は衛星１５２２が中継した衛星通信用電波信号を受信する送信所の受信装置（ＲＸ）、１５２４はｉ地方の放送圏内に番組を放送する中継送信機である。さらに、１５３１はii地方向けの放送局の番組を編集または制作するスタジオの伝送装置（ＴＸ）、１５３２は衛星（ｃｈ３）、１５３３は衛星１５３２が中継した衛星通信用電波信号を受信する送信所の受信装置（ＲＸ）、１５３４はii地方の放送圏内に番組を放送する中継送信機である。
なお、受信装置１５１３と中継送信機１５１４は、送信所１５１５内に設置され、受信装置１５２３と中継送信機１５２４は、送信所１５２５内に設置され、受信装置１５３３と中継送信機１５３４は、送信所１５３５内に設置される。また、各放送局において、広域番組の放送局を親局であり、他のｉ地方とii地方の放送局はその子局である。
【０００５】
図１５において、広域番組の放送局のスタジオは、例えば中心都市の市街地に設置され、広域にテレビ放送するための番組（広域番組）を編集または制作する。即ち、広域番組のスタジオの伝送装置１５１１は、スタジオ内で編集または制作されたテレビ番組（広域番組）を、所定の形式の衛星通信用電波信号に変換して、衛星（ｃｈ１）１５１２に送信する。衛星１５１２は、受信した衛星通信用電波信号を中継して、広域番組を放送する送信所１５１５の受信装置１５１３に送信する。受信装置１５１３は、受信した衛星通信用電波信号を放送用電波信号（例えば、ＴＳ（Transport Stream）信号）に変換して送信所１５１５の中継送信機１５１４に出力する。中継送信機１５１４は、入力された放送用電波信号を、大出力で広域番組放送圏内に放送する。
また、ｉ地方向けの放送局のスタジオでは、ｉ地方向けにテレビ放送するためのスタジオの伝送装置１５２１は、スタジオ内で編集または制作されたテレビ番組（ｉ地方向けの放送番組）を、所定の形式の衛星通信用電波信号に変換して、衛星（ｃｈ２）１５２２に送信する。衛星１５２２は、受信した衛星通信用電波信号を中継して、ｉ地方向けの放送番組を放送する送信所１５２５の受信装置１５２３に送信する。受信装置１５２３は、受信した衛星通信用電波信号を放送用電波信号に変換して送信所１５２５の中継送信機１５２４に出力する。中継送信機１５２４は、入力された放送用電波信号を、その放送圏の大きさに合わせた出力でｉ地方の番組放送圏内に放送する。
また、ii地方向けの放送局のスタジオでは、ii地方向けにテレビ放送するためのスタジオの伝送装置１５３１は、スタジオ内で編集または制作されたテレビ番組（ii地方向けの放送番組）を、所定の形式の衛星通信用電波信号に変換して、衛星（ｃｈ３）１５３２に送信する。衛星１５３２は、受信した衛星通信用電波信号を中継して、ii地方向けの放送番組を放送する送信所１５３５の受信装置１５３３に送信する。受信装置１５３３は、受信した衛星通信用電波信号を放送用電波信号に変換して送信所１５３５の中継送信機１５３４に出力する。中継送信機１５３４は、入力された放送用電波信号を、その放送圏の大きさに合わせた出力でii地方の番組放送圏内に放送する。
このように、従来は、広域番組、ｉ地方向け番組、およびii地方向け番組と、それぞれのテレビ放送する番組毎、若しくは、放送圏毎に中継するための衛星若しくは、衛星中継周波数帯域（伝送媒体）が必要となる。
なお、上記放送は、近年、アナログ方式からデジタル方式に切替りつつある（特許文献２参照。）。上記中継送信機から放送する場合には、地上デジタル放送規格（例えば、ＩＳＤＢ−Ｔ、ＳＢＴＶＤ−Ｔ）に従い、その放送信号形式も、それらの放送規格に従う。
【０００６】
図１６は、地上デジタル放送において、従来の中継送信機が放送するテレビ番組を説明するためのタイムチャートを示す図である。また、図１７は、図１６の番組をテレビ放送するために、図１５の構成によって各スタジオから、衛星中継で、各放送所の受信装置に送信する場合のタイムチャートを示す図である。図１６および図１７において、横軸は１３：００〜２２：００までの時間を共通に示している。１０１は放送される番組“ドラマＡ”、１０２は放送される番組“スポーツ”、１５３は放送される番組“首都ニュース”、１０４は放送される番組“全国ニュース”、１０５は放送される番組“ドラマＢ”、１６６３は放送されるｉ地方ニュース、１６７３は放送されるii地方ニュース、１６５０は広域番組放送圏内に放送されるテレビ番組表、１６６０はｉ地方の番組放送圏内に放送されるテレビ番組表、１６７０はii地方の番組放送圏内に放送されるテレビ番組表である。また、１７５０は伝送装置１５１１から衛星１５１２を介して放送所１５１５の受信装置１５１３に伝送されるテレビ番組データ列、１７６０は伝送装置１５２１から衛星１５２２を介して放送所１５２５の受信装置１５２３に伝送されるテレビ番組データ列、１７７０は伝送装置１５３１から衛星１５３２を介して放送所１５３５の受信装置１５３３に伝送されるテレビ番組データ列、２０１は伝送される番組“ドラマＡ”、２０２は伝送される番組“スポーツ”、２５３は伝送される番組“首都ニュース”、２０４は伝送される番組“全国ニュース”、２０５は伝送される番組“ドラマＢ”、１７６３は伝送されるローカル番組“ｉ地方ニュース”、１７７３は伝送されるローカル番組“ii地方ニュース”である。
【０００７】
図１６において、番組“ドラマＡ”１０１、“スポーツ”１０２、“全国ニュース”１０４、“ドラマＢ”１０５は、広域番組放送圏内、ｉ地方の番組放送圏内、およびii地方の番組放送圏内に放送するどの放送局の送信所１５１４、１５２４、および１５３４からでも、同一の時間帯に放送される。しかし、番組“首都ニュース”１５３、“ｉ地方ニュース”１６６３、“ii地方ニュース”１６７３は、それぞれ、同時刻で別々の放送圏内（別々の放送局）で放送するため、別々に放送されるローカル枠番組である。即ち、これらのローカル枠番組では、“首都ニュース”１５３は送信所１５１４から放送され、番組“ｉ地方ニュース”１６６３は送信所１５２５から放送され、番組“ii地方ニュース”１６７６３は送信所１５３５から放送される。このように、各放送圏では、ローカル枠番組が送信される時間が設けられる。
従って、各送信所から送信される番組表が異なるため、図１７に示すように、各スタジオの伝送装置１５１１、１５２１、および１５３１は、それぞれ、別々のテレビ番組列データ１７５０、１７６０、および１７７０を、別々の衛星（衛星帯域、若しくは別々の伝送媒体）を用いて、各送信所の受信装置１５１４、１５２４、１５３４に、それぞれの番組を放送する直前に送信する必要がある。
【先行技術文献】
【特許文献】
【０００８】
【特許文献１】特開２００９−４４３５５号公報
【特許文献２】特開２０１０−１５４４１６号公報
【発明の概要】
【発明が解決しようとする課題】
【０００９】
上述した図１５〜図１７の例のように、親局および各子局には、ローカル枠番組があり、ローカル枠番組がそれぞれ異なるため、放送する番組列が異なる。このため、それぞれの放送局毎に別個の放送番組データ列を送信する必要があった。例えば、図１５〜図１７の例では、衛星３系統の伝送システムが必要であった。
地方向け放送の場合には、そのローカル枠での番組が異なるため、地方局の種類だけ、多くの伝送媒体（衛星帯域）を利用して別個に番組を伝送している。
本発明の目的は、地上デジタル放送において、衛星を使用してスタジオから送信所へ放送番組を送信する伝送システムにおいて、複数の放送局における伝送媒体（衛星帯域）の節約にある。
【課題を解決するための手段】
【００１０】
上記の課題を解決するために、本発明の伝送システムは、従来、ローカル枠番組の放送時間は、親局および各子局で、共に重複する傾向があることを鑑み、ローカル枠番組を、その放送時刻に前もって、事前に伝送し記録媒体に一旦記憶させ、ローカル枠番組の本来の放送時間には記録媒体に記憶したローカル番組内容を再生するものである。
【００１１】
即ち、上記の課題を解決するために、本発明の伝送システムは、第１の中継衛星に広域番組を第１の衛星通信用電波信号に変換して送信する伝送装置を具備する第１のスタジオ、当該第１のスタジオが送信した前記広域番組の前記第１の衛星通信用電波信号を前記第１の中継衛星を介して受信して、地上デジタルの第１の放送用電波信号に変換する第１の受信機と、前記第１の放送用電波信号を前記広域番組の放送圏内に放送する第１の中継送信機とを具備する第１の送信所を少なくとも有する広域番組の放送局、  第２の中継衛星に所定の地方のローカル番組を第２の衛星通信用電波信号に変換して送信する伝送装置を具備する第２のスタジオ、前記第１のスタジオが送信した前記広域番組の前記第１の衛星通信用電波信号を前記第１の中継衛星を介して受信して、地上デジタルの第１の放送用電波信号に変換し第２の選択器に出力する第３の受信機と、前記第２のスタジオが送信した前記第２の衛星通信用電波信号を前記第２の中継衛星を介して受信して、地上デジタルの第２の放送用電波信号に変換し第２の再生制御器および第２の記録器並びに第２の選択器に出力する第２の受信機と、前記第２の放送用電波信号の第２の再生制御情報を抽出し、抽出した前記第２の再生制御情報を前記第２の記録器と前記第２の選択器に出力する前記第２の再生制御器と、前記第２の再生制御情報に基づいて前記第２の放送用電波信号を記録して前記第２の選択器に出力する前記第２の記録器と、前記第２の再生制御情報に基づいて前記第１の放送用電波信号と前記第２の放送用電波信号とを切替えて出力する前記第２の選択器とを具備する第２の送信所を少なくとも有するローカル放送局、を備え、  前記ローカル放送局の、前記第２のスタジオは、前記ローカル番組を放送前に圧縮して前記衛星を介して中継して前記第２の送信所に送信し、前記第２の送信所の前記記録器は、前記圧縮されたローカル番組を伸長および再生して前記ローカル番組の放送前に記録し、前記再生制御装置の制御に基づいて、前記広域番組と前記ローカル番組を放送するものである。
また上記発明の伝送システムにおいて、前記ローカル放送局を複数備え、前記複数のローカル放送局は、それぞれその放送圏内毎に異なるローカル番組を放送することを特徴とする。
【００１２】
また上記の課題を解決するために、本発明の伝送システムは、広域番組を第１の衛星通信用電波信号に変換して第１の中継衛星に送信する伝送装置を具備する第１のスタジオ、当該第１のスタジオが送信した前記第１の衛星通信用電波信号を前記第１の中継衛星を介して受信して、地上デジタルの第１の放送用電波信号に変換する第１の受信機と、前記第１の放送用電波信号を前記広域番組の放送圏内に放送する第１の中継送信機とを具備する第１の送信所を少なくとも有する広域番組の放送局、  所定のローカル番組について、当該ローカル番組を記録する記録器と当該ローカル番組を放送する時刻とを指定した情報を第２の再生制御情報として挿入する第２の記録再生指定部と、前記第２の衛星通信用電波信号に変換して前記第１の中継衛星に送信する伝送装置を具備する第２のスタジオ、前記第１のスタジオが送信した前記第１の衛星通信用電波信号を前記第１の中継衛星を介して受信して、地上デジタルの第１の放送用電波信号に変換する第３の受信機と、前記第２のスタジオが送信した前記第１の衛星通信用電波信号を前記第１の中継衛星を介して受信して、地上デジタルの第２の放送用電波信号に変換する第２の受信機と、前記第２の放送用電波信号の第２の再生制御情報を抽出し、抽出した前記第２の再生制御情報を出力する第２の再生制御器と、前記第２の再生制御情報に基づいて前記第１の放送用電波信号を記録する第２の記録器と、前記第２の放送用電波信号の第２の再生制御情報を抽出し、抽出した前記第２の再生制御情報を出力する第２の再生制御器と、前記第２の再生制御情報に基づいて前記第２の放送用電波信号を記録して出力する第２の記録器と、前記第２の再生制御情報に基づいて前記第１の放送用電波信号と前記第２の記録器が出力する前記第２の放送用電波信号とを切替えて出力する前記第２の選択器とを具備する第２の送信所を少なくとも有するローカル放送局、を備えたものである。
【００１３】
また上記の課題を解決するために、本発明の伝送システムは、広域番組について、当該広域番組を記録する記録器と当該広域番組を放送する時刻とを指定した情報を第１の再生制御情報として挿入する第１の記録再生指定部と、切替選択部と、前記切替選択部から出力される前記広域番組またはローカル番組を衛星通信用電波信号に変換して送信する伝送装置を具備する第１のスタジオ、当該第１のスタジオが送信した前記衛星通信用電波信号を前記中継衛星を介して受信して、地上デジタルの第１の放送用電波信号に変換する第１の受信機と、前記第１の放送用電波信号の第１の再生制御情報を抽出し、抽出した前記第１の再生制御情報を出力する第１の再生制御器と、前記第１の再生制御情報に基づいて前記第１の放送用電波信号を記録して第１の番組として出力する第２の記録器と、前記第１の再生制御情報に基づいて前記第１の放送用電波信号と前記第２の放送用電波信号とを切替えて出力する前記第１の選択器と、前記第１の選択器から出力される前記第１の放送用電波信号と前記第２の放送用電波信号を前記広域番組の放送圏内に放送する第１の中継送信機とを具備する第１の送信所を少なくとも有する広域番組の放送局、  所定のローカル番組について、当該ローカル番組を記録する記録器と当該ローカル番組を放送する時刻とを指定した情報を第２の再生制御情報として挿入し、当該第２の再生制御情報を挿入されたローカル番組を前記切替選択部に広域回線を介して送信する第２の記録再生指定部とを具備する第２のスタジオ、前記第１のスタジオが送信した前記衛星通信用電波信号を前記中継衛星を介して受信して、地上デジタルの第１の放送用電波信号に変換する第２の受信機と、前記第１の放送用電波信号の第２の再生制御情報を抽出し、抽出した前記第２の再生制御情報を出力する第２の再生制御器と、前記第２の再生制御情報に基づいて前記第１の放送用電波信号を記録して第２の番組として出力する第２の記録器と、前記第２の再生制御情報に基づいて前記第１の放送用電波信号と前記第３の放送用電波信号とを切替えて出力する前記第２の選択器と、前記第２の選択器から出力される前記第１の放送用電波信号と前記第３の放送用電波信号を前記ローカル番組の放送圏内に放送する第２の中継送信機とを具備する第２の送信所を少なくとも有するローカル放送局、を備えたものである。
【００１４】
上記発明の伝送システムにおいて、好ましくは、前記第１の記録再生指定部は、前記ローカル番組を放送する所定時刻前に放送する広域番組を圧縮し、前記第２の記録再生指定部は、前記ローカル番組を圧縮し、前記第１の記録器と前記第２の記録器は、前記圧縮された番組を伸長および再生して記録する。
また、上記発明の伝送システムにおいて、好ましくは、スケジューラを備え、前記切替選択部は、前記スケジューラの出力情報に基づいて、出力する番組を選択する。
【発明の効果】
【００１５】
本発明によれば、衛星を使用してスタジオから送信所へ放送番組を送信する伝送システムにおいて、複数の放送局で使用する伝送媒体（衛星帯域）の節約することができる伝送システムを提供することができる。
【図面の簡単な説明】
【００１６】
【図１】本発明の伝送システムの一実施例におけるテレビ番組を放送する番組表の概略を示す図である。
【図２】本発明の伝送システムの一実施例によってテレビ放送するために、各スタジオから、衛星中継で、各放送所の受信装置に送信する場合のタイムチャートを示す図である。
【図３】本発明の伝送システムの一実施例の構成を示すブロック図である。
【図４】本発明の伝送システムによってテレビ放送するために、各スタジオから、衛星中継で、各放送所の受信装置に送信する場合のタイムチャートを示す図である。
【図５】本発明の伝送システムの一実施例におけるテレビ番組を放送する番組表の概略を示す図である。
【図６】本発明の伝送システムの一実施例によってテレビ放送するために、各スタジオから、衛星中継で、各放送所の受信装置に送信する場合のタイムチャートを示す図である。
【図７】本発明の伝送システムの一実施例の構成を示すブロック図である。
【図８】本発明の伝送システムの一実施例の構成を示すブロック図である。
【図９】本発明の伝送システムの一実施例の構成を示すブロック図である。
【図１０】本発明の伝送システムの縮小器の一実施例の構成を示すブロック図である。
【図１１】本発明の伝送システムの縮小器の一実施例の構成を示すブロック図である。
【図１２】本発明の伝送システムの記録再生の一実施例の構成を示すブロック図である。
【図１３】本発明の伝送システムの再生制御器の一実施例の構成を示すブロック図である。
【図１４】本発明の伝送システムの選択器（ＳＷ）の一実施例の構成を示すブロック図である。
【図１５】従来のスタジオから送信所までの伝送について説明するための模式図である。
【図１６】従来の中継送信機が放送するテレビ番組を説明するためのタイムチャートを示す図である。
【図１７】図１６の番組をテレビ放送するために、従来の各スタジオから、衛星中継で、各放送所の受信装置に送信する場合のタイムチャートを示す図である。
【発明を実施するための形態】
【００１７】
本発明は、ローカル枠番組の時間比率が全体の１０％程度であること。および、ローカル枠番組を、放送時間に前もって伝送すれば、地方局数だけの衛星チャネル数を、持つ必要は無くなることに着目したものである。
以下に本発明の一実施形態を図面等を用いて説明する。なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
なお、各図の説明において、共通な機能を有する構成要素には同一の参照番号を付し、説明を省略する。
【００１８】
図１〜図３によって、地上デジタル放送において、本発明のテレビ番組の衛星を使って、スタジオから送信所までテレビ番組を伝送し、送信所から放送する一実施例について説明する。図３は、本発明の伝送システムの一実施例の構成を示すブロック図である。図１は、本発明のテレビ番組を放送する番組表の概略を示す図である。また図２は、図１の番組表でテレビ放送するために、図３の構成によって各スタジオから、衛星中継で、各放送所の受信装置に時分割多重送信する場合のタイムチャートを示す図である。図１および図２において、横軸は１３：００〜２２：００までの時間を共通に示している。
【００１９】
図３の３１１は広域番組の放送局の番組を編集または制作するスタジオの伝送装置（広域伝送ＴＸ）、３１２は衛星（ｃｈ１）、３１３は広域番組の送信所の受信装置（広域伝送ＲＸ）、３１４は送信所の広域番組を放送する中継送信機である。また、３６１はｉ地方向けの放送局のローカル番組の記録先と再生時刻を指定する、スタジオ内の記録再生指定部、３２１はｉ地方向けの放送局のローカル番組を編集または制作するスタジオの伝送装置（地方伝送ＴＸ）、３２２は衛星（ｃｈ２）、３２３は衛星３２２が中継した衛星通信用電波信号を受信する送信所の受信装置（地方伝送ＲＸ）、３２６は衛星３２１が中継した衛星通信用電波信号を受信する送信所の受信装置（広域伝送ＲＸ）、３２７は受信装置３２３が出力する放送用電波信号（例えば、ＴＳ信号）の再生制御を行う再生制御器、３２８は受信装置３２３が出力する放送用電波信号を記録する記録器、３２９は広域の受信装置３２６が受信した放送番組と地方の受信装置３２３が受信したｉ地方の放送番組のいずれかを選択して出力する選択器（ＳＷ）、３２４はｉ地方の放送圏内に番組を放送する中継送信機である。さらに、３７１はｉ地方向けの放送局のローカル番組の記録先と再生時刻を指定する、スタジオ内の記録再生指定部、３３１はii地方向けの放送局のローカル番組を編集または制作するスタジオの伝送装置（地方伝送ＴＸ）、３３３は衛星３２２が中継した衛星通信用電波信号を受信する送信所の受信装置（地方伝送ＲＸ）、３３６は衛星３２１が中継した衛星通信用電波信号を受信する送信所の受信装置（広域伝送ＲＸ）、３３７は受信装置３３３が出力する放送用電波信号の再生制御を行う再生制御器、３３８は受信装置３３３出力する放送用電波信号を記録する記録器、３３９は広域の受信装置３３６が受信した放送番組と地方の受信装置３３３が受信したii地方の放送番組のいずれかを選択して出力する選択器（ＳＷ）、３３４はii地方の放送圏内に番組を放送する中継送信機である。
なお、受信装置３１３と中継送信機３１４は、送信所３１５内に設置される。また、受信装置３２３と３２６、再生制御器３２７、記録器３２８、選択器３２９、および中継送信機３２４は、送信所３２５内に設置される。また、受信装置３３３と３３６、再生制御器３３７、記録器３３８、選択器３３９、および中継送信機３３４は、送信所３３５内に設置される。また、各放送局において、広域番組の放送局を親局であり、他のｉ地方とii地方の放送局はその子局である。
なお、広域伝送と地方伝送では、一般的に、伝送帯域が異なり、本発明においても、同様である。
【００２０】
図３において、広域番組の放送局のスタジオは、例えば中心都市の市街地に設置され、広域にテレビ放送するための番組（広域番組）を編集または制作する。即ち、広域番組のスタジオの伝送装置３１１は、スタジオ内で編集または制作されたテレビ番組（広域番組）を入力され、入力された広域番組を、所定の形式の衛星通信用電波信号に変換して、衛星（ｃｈ１）３１２に送信する。衛星３１２は、受信した衛星通信用電波信号を中継して、広域番組を放送する送信所３１５の受信装置３１３に送信する。受信装置３１３は、受信した衛星通信用電波信号を放送用電波信号に変換して送信所３１５の中継送信機３１４に出力する。中継送信機３１４は、入力された放送用電波信号を、大出力で広域番組放送圏内に放送する。
【００２１】
また、ｉ地方向けの放送局のスタジオでは、記録再生指定部３６１は、スタジオ内で編集または制作されたｉ地方向けのローカル番組を入力され、入力されたローカル番組についてｉ地方向けのローカル番組の記録先と放送する時間を指定して、伝送装置３２１に出力する。伝送装置３２１は、入力されたローカル番組を、それらの情報と共に所定の形式の衛星通信用電波信号に変換して、衛星（ｃｈ２）３２２に送信する。衛星３２２は、受信した衛星通信用電波信号を中継して、ｉ地方向けの放送番組を放送する送信所３２５の受信装置３２３に送信する。受信装置３２３は、受信した衛星通信用電波信号を放送用電波信号に変換して、送信所３２５の再生制御器３２７と記録器３２８に出力する。再生制御器３２７は、入力されたローカル番組の信号から再生制御情報（時刻情報）を抽出し、抽出した再生制御情報に基づいて、記録器３２８と選択器３２９を制御し、指定された放送時間に放送可能なように、当該ローカル番組を中継送信機３２４に出力する。中継送信機３２４は、選択器３２９から出力されたローカル番組を、指定された放送時間にｉ地方向けのテレビ番組として放送する。
また、受信装置３２６は、衛星３１２が中継する広域番組の衛星通信用電波信号を受信して、受信した衛星通信用電波信号を放送用電波信号に変換して、選択器３２９に出力する。
選択器３２９は、再生制御器３２７の制御に基づいて、ｉ地方向けのローカル番組を放送する時間以外には、受信装置３２６から入力された広域番組を中継送信機３２４に出力する。中継送信機３２４は、選択器３２９から出力された広域番組を、ローカル番組を放送しない時間に放送する。
【００２２】
また、ii地方向けの放送局のスタジオでは、記録再生指定部３７１は、スタジオ内で編集または制作されたii地方向けのローカル番組を入力され、入力されたローカル番組についてii地方向けのローカル番組の記録先と放送する時間を指定して、伝送装置３３１に出力する。伝送装置３３１は、入力されたローカル番組を、それらの情報と共に所定の形式の衛星通信用電波信号に変換して、衛星（ｃｈ２）３２２に送信する。衛星３２２は、受信した衛星通信用電波信号を中継して、ii地方向けの放送番組を放送する送信所３３５の受信装置３３３に送信する。受信装置３３３は、受信した衛星通信用電波信号を放送用電波信号に変換して、送信所３３５の再生制御器３３７と記録器３３８に出力する。再生制御器３３７は、入力されたローカル番組の信号から再生制御情報（時刻情報）を抽出し、抽出した再生制御情報に基づいて、記録器３３８と選択器３３９を制御し、指定された放送時間に放送可能なように、当該ローカル番組を中継送信機３３４に出力する。中継送信機３３４は、選択器３３９から出力されたローカル番組を、指定された放送時間にｉ地方向けのテレビ番組として放送する。
また、受信装置３３６は、衛星３１２が中継する広域番組の衛星通信用電波信号を受信して、受信した衛星通信用電波信号を放送用電波信号に変換して、選択器３３９に出力する。
選択器３３９は、再生制御器３３７の再生制御情報に基づいて、ii地方向けのローカル番組を放送する時間以外には、受信装置３３６から入力された広域番組を中継送信機３３４に出力する。中継送信機３３４は、選択器３３９から出力された広域番組をローカル番組を放送しない時間に放送する。
【００２３】
図１は、本発明の伝送システムの一実施例におけるテレビ番組を放送する番組表の概略を示す図である。また、図２は、図１の番組をテレビ番組を放送するために、図３の構成によって各スタジオから、衛星中継で、各放送所の受信装置に時分割多重送信する場合のタイムチャートを示す図である。図１および図２において、横軸は１３：００〜２２：００までの時間を示している。既に説明したものを除いて、１６３は放送されるｉ地方ニュース、１７３は放送されるii地方ニュース、１５０は広域番組放送圏内に放送されるテレビ番組表、１６０はｉ地方の番組放送圏内に放送されるテレビ番組表、１７０はii地方の番組放送圏内に放送されるテレビ番組表である。また、２５０は伝送装置３１１から衛星３１２を介して放送所３１５の受信装置３１３に伝送されるテレビ番組データ列、２６０は伝送装置３２１と３３１から衛星３２２を介して放送所３２５の受信装置３２３および放送所３３５の受信装置３３３に伝送されるテレビ番組データ列、２０１は伝送される番組“ドラマＡ”、２０２は伝送される番組“スポーツ”、２５３は伝送される番組“首都ニュース”、２０４は伝送される番組“全国ニュース”、２０５は伝送される番組“ドラマＢ”、２６２は伝送されるローカル番組“ｉ地方ニュース”、２７２は伝送されるローカル番組“ii地方ニュース”、２９１は広域選択動作、２９２と２９３は記録動作、２９４は再生・選択動作、２９５は広域選択動作、２５０は広域番組の伝送タイムチャート、２６０はローカル番組の伝送タイムチャート、２９０は図３の送信所３２５および３３５の動作モードを示すタイムチャートである。
【００２４】
図１において、広域番組の放送局は、広域番組放送圏内に放送されるテレビ番組表１５０として、衛星３１２によって中継された広域番組のタイムチャート２５０をそのまま放送する。また、ｉ地方向けの放送局は、衛星３１２によって中継された番組“首都ニュース”１５３の替わりに、ローカル番組（番組“ｉ地方ニュース”１６３）を記録器３２８から再生して放送する。同様に、ii地方向けの放送局は、衛星３１２によって中継された番組“首都ニュース”２５３の替わりに、ローカル番組（番組“ii地方ニュース”１７３）を記録器３３８から再生して放送する。
上記の番組“ｉ地方ニュース”２６２および番組“ii地方ニュース”２６３は、図２に示すように、それらの番組を放送開始する時間前に、例えば、広域番組で番組“スポーツ”２０２を衛星中継中に、ローカル番組“ｉ地方ニュース”２６２とローカル番組“ii地方ニュース”２６３を順番に衛星中継する。
この時、ｉ地方向けの放送局の送信所３２５では、広域選択動作２９１の時に、このローカル番組“ｉ地方ニュース”２６２を受信し、記録動作２９２で記録器３２８に記録する。同様に、ii地方向けの放送局の送信所３３５では、広域選択動作２９１の時に、このローカル番組“ii地方ニュース”２７２を受信し、記録動作２９３で記録器３３８に記録する。そして、ｉ地方向けの放送局の送信所３２５およびii地方向けの放送局の送信所３３５は、どちらも、それらローカル番組番組“ｉ地方ニュース”１６３、番組“ii地方ニュース”１７３を放送する時間帯に、記録器３２８若しくは３３８から再生して放送する。その後、広域選択動作２９５の放送を行う。
【００２５】
なお、図１〜図３の実施例において、衛星を２ｃｈ使用するため、ローカル番組の１つをリアルタイムで中継することが可能である。従って、図１のテレビ番組表１７０の番組“ii地方ニュース１７３”を再生切替または切替のどちらの動作も可能としている。
図４は、上述した図２の実施例の一応用例で、本発明の一実施例の伝送システムにおいて、ii地方向け放送局のローカル番組をリアルタイムで衛星中継し、ｉ地方向け放送局のローカル番組を放送前に中継伝送し、記録、再生して放送した場合のタイムチャートを示す図である。図４において、横軸は１３：００〜２２：００までの時間を共通に示している。
図４と図３において、伝送装置３２１と３３１から衛星３２２を介して放送所３２５の受信装置３２３および放送所３３５の受信装置３３３に伝送されるテレビ番組データ列４６０では、番組“ｉ地方ニュース”２６２を放送開始する時間前に、広域番組で番組“スポーツ”２０２を衛星中継中に、ローカル番組“ｉ地方ニュース”４０２を衛星中継して記録（記録動作４９２）しておき、放送時に再生して放送する。しかし、ローカル番組“ii地方ニュース”４０３については、放送時にリアルタイムに衛星中継して、放送する。
【００２６】
以上、図１〜図４の実施例によれば、広域番組の衛星中継とローカル番組の衛星中継と２ｃｈ（２系統）の衛星帯域（伝送媒体）を用いて、スタジオから送信所に広域番組とローカル番組とを中継できる。このため、衛星を使用してスタジオから送信所へ放送番組を送信する伝送システムにおいて、複数の放送局における伝送媒体（衛星帯域）の節約することができる。
【００２７】
次に図５〜図７によって、本発明の地上デジタル放送における伝送システムの他の実施例について説明する。図５は、本発明の伝送システムの一実施例におけるテレビ番組を放送する番組表の概略を示す図である。図６は、図５の伝送システムによってテレビ番組を放送するために、各スタジオから、衛星中継で、各放送所の受信装置に圧縮時分割多重送信する場合のタイムチャートを示す図である。また、図７は、本発明の伝送システムの他の実施例の構成を示すブロック図である。図５〜図７の実施例において、広域番組の放送局を親局であり、他のｉ地方とii地方の放送局はその子局である。図５および図６において、横軸は１３：００〜２２：００までの時間を共通に示している。
図５において、放送されるテレビ番組表５５０の番組“首都ニュース”５５３、テレビ番組表５６０の番組“ｉ地方ニュース”５６３、およびテレビ番組表５７０の番組“ii地方ニュース”５７３は、他の番組と異なり、リアルタイム放送ではなく、それぞれの送信所の記録器に既に記録済の番組を再生して放送するものである。
【００２８】
図７および図６において、広域番組の放送局のスタジオは、例えば中心都市の市街地に設置され、広域にテレビ放送するための番組（広域番組）を編集または制作する。
即ち、広域番組のスタジオの伝送装置（広域伝送ＴＸ）７１１は、スタジオ内で編集または制作された広域番組を入力され、入力された広域番組を、所定の形式の衛星通信用電波信号に変換して、衛星（ｃｈ１）７１２に送信する。この時、“番組首都ニュース”６１５の前に、ｉ地方向けのローカル番組“ｉ地方ニュース”６１３とii地方向けのローカル番組“ii地方ニュース”６１４を挿入して衛星７１２が中継するために、伝送装置７１１は、その放送前の番組“ドラマＡ”と“スポーツ”を、番組“ドラマＡ”６１１と“スポーツ”６１２に圧縮して、衛星７１２に送信する。また、伝送装置７１１は、広域番組の放送局にだけ個別選択される“首都ニュース”を“首都ニュース”６１５に圧縮してから衛星７１２に送信する。しかし、伝送装置７１１は、番組“全国ニュース”と“ドラマＢ”は、そのまま非圧縮で、番組“全国ニュース”６１６と“ドラマＢ”６１７で衛星７１２に送信する。
【００２９】
また、ｉ地方向けの放送局のスタジオでは、記録再生指定部７６１は、スタジオ内で編集または制作されたｉ地方向けのローカル番組を入力され、入力されたローカル番組“ｉ地方ニュース”に対して、ユーザの入力若しくは上位機器（図示しない）からの制御に基づいて、ｉ地方向けのローカル番組の記録先と放送する時間を指定して、伝送装置（広域伝送ＴＸ）７２１に出力する。そして伝送装置７２１は、入力されたローカル番組を、それらの情報と共に所定の形式の衛星通信用電波信号に変換して、衛星（ｃｈ１）７１２に送信する。この時、伝送装置７２１は、放送局毎に個別選択されるローカル番組“ｉ地方ニュース”を“ｉ地方ニュース”６１３に圧縮して衛星７１２に送信する。
さらに、ii地方向けの放送局のスタジオでは、記録再生指定部７７１は、スタジオ内で編集または制作されたii地方向けのローカル番組を入力され、入力されたローカル番組“ii地方ニュース”に対して、ユーザの入力若しくは上位機器（図示しない）からの制御に基づいて、ii地方向けのローカル番組の記録先と放送する時間を指定して、伝送装置（高記伝送ＴＸ）７３１に出力する。そして伝送装置７３１は、入力されたローカル番組を、それらの情報と共に所定の形式の衛星通信用電波信号に変換して、衛星（ｃｈ１）７１２に送信する。この時、伝送装置７３１は、放送局毎に個別選択されるローカル番組“ii地方ニュース”を“ii地方ニュース”６１４に圧縮して衛星７１２に送信する。
【００３０】
衛星７１２は、番組表６１０の順番に、受信した衛星通信用電波信号を中継して、広域番組を放送する送信所７１５、ｉ地方向けの送信所７２５、およびii地方向けの送信所７３５に送信する。
【００３１】
受信装置（広域伝送ＲＸ）７１３は、衛星７１２から中継送信された衛星通信用電波信号の広域番組（番組表６２０）を受信する。受信装置７１３は、受信した衛星通信用電波信号を所定の形式の放送用電波信号に変換して、送信所７１５の再生制御器７１７、記録器７１８および選択器７１９に出力する。この時、圧縮されている番組を記録器７１８に出力し、圧縮されていない番組を選択器７１９に出力する。また、受信装置７１３は、受信した番組が圧縮された番組か圧縮されていない番組かを示す圧縮／非圧縮番組情報を受信の都度、再生制御器７１７に出力する。
再生制御器７１７は、入力された再生制御情報（圧縮／非圧縮番組情報）に基づいて、記録器７１８を制御し、記録器７１８は、圧縮された番組を伸長および再生して選択器７１９に出力する。また再生制御器７１７は、選択器７１９を制御し、選択器７１９に入力される番組の出力選択制御を行う。選択器７１９は、再生制御器７１７の再生制御情報に基づいて入力された番組を切替えて中継送信機７１４に出力する。なお、記録器７１８は、受信装置７１３から番組が入力される都度、伸長再生し、当該伸長再生された番組を記録するようにし、記録した番組を再生して選択器７１９に入力するようにしても良い。
送信所７１５の中継送信機７１４は、入力された放送用電波信号を、大出力で広域番組放送圏内に放送する。
この結果、広域番組向け放送局の送信所７１５の中継送信機７１４は、番組表６５０に示す番組を広域番組の放送圏内に放送する。
【００３２】
受信装置（広域伝送ＲＸ）７２３は、衛星７１２から中継送信された衛星通信用電波信号の広域番組（番組表６３０）を受信する。受信装置７２３は、受信した衛星通信用電波信号を所定の形式の放送用電波信号に変換して、送信所７２５の再生制御器７２７、記録器７２８および選択器７２９に出力する。この時、圧縮されている番組を記録器７２８に出力し、伸長して圧縮されていない番組を選択器７２９に出力する。また、受信装置７２３は、受信した番組が圧縮された番組か圧縮されていない番組かを示す再生制御情報（圧縮／非圧縮番組情報）を受信の都度、再生制御器７２７に出力する。
再生制御器７２７は、入力された再生制御情報（圧縮／非圧縮番組情報）に基づいて、記録器７２８を制御し、記録器７２８は、圧縮された番組を伸長して選択器７２９に出力する。また再生制御器７２７は、選択器７２９を制御し、選択器７２９に入力される番組の出力選択制御を行う。選択器７２９は、再生制御器７２７の再生制御情報に基づいて入力された番組を切替えて中継送信機７２４に出力する。なお、記録器７２８は、受信装置７２３から番組が入力される都度、伸長し、当該伸長された番組を記録するようにし、記録した番組を再生伸長して選択器７２９に入力するようにしても良い。
送信所７２５の中継送信機７２４は、入力された放送用電波信号を、その放送圏の大きさに合わせた出力でｉ地方の番組放送圏内に放送する。
この結果、ｉ地方向け放送局の送信所７２５の中継送信機７２４は、番組表６６０に示す番組を広域番組の放送圏内に放送する。
【００３３】
受信装置（広域伝送ＲＸ）７３３は、衛星７１２から中継送信された衛星通信用電波信号の広域番組（番組表６４０）を受信する。受信装置７３３は、受信した衛星通信用電波信号を所定の形式の放送用電波信号に変換して、送信所７３５の再生制御器７３７、記録器７３８および選択器７３９に出力する。この時、圧縮されている番組を記録器７３８に出力し、伸長して圧縮されていない番組を選択器７３９に出力する。また、受信装置７３３は、受信した番組が圧縮された番組か圧縮されていない番組かを示す再生制御情報（圧縮／非圧縮番組情報）を受信の都度、再生制御器７３７に出力する。
再生制御器７３７は、入力された再生制御情報に基づいて、記録器７３８を制御し、記録器７３８は、圧縮された番組を伸長して選択器７３９に出力する。また再生制御器７３７は、選択器７３９を制御し、選択器７３９に入力される番組の出力選択制御を行う。選択器７３９は、再生制御器７３７の再生制御情報に基づいて入力された番組を切替えて中継送信機７３４に出力する。なお、記録器７３８は、受信装置７３３から番組が入力される都度、伸長し、当該伸長された番組を記録するようにし、記録した番組を再生伸長して選択器７３９に入力するようにしても良い。
送信所７３５の中継送信機７２４は、入力された放送用電波信号を、その放送圏の大きさに合わせた出力でｉ地方の番組放送圏内に放送する。
この結果、ｉ地方向け放送局の送信所７３５の中継送信機７３４は、番組表６７０に示す番組を広域番組の放送圏内に放送する。
【００３４】
図５〜図７の実施例によれば、広域番組の衛星中継とローカル番組の衛星中継ではなく、１ｃｈの衛星帯域（伝送媒体）を用いて、スタジオから送信所に広域番組とローカル番組とを中継できるため、衛星を使用してスタジオから送信所へ放送番組を送信する伝送システムにおいて、複数の放送局における伝送媒体（衛星帯域）の節約することができる。
【００３５】
さて、上記図５〜図７の実施例では、１つの衛星で広域番組、ｉ地方向けの番組、およびii地方向けの番組を中継する。このため、それぞれのスタジオの伝送装置から、広域番組、ｉ地方向けの番組、およびii地方向けの番組を受信する必要があり、受信の都度、衛星の向きを変更する必要があった。
そこで、図８に示す実施例では、衛星の向きを変更する必要が無い伝送システムについて創案した。
【００３６】
図８は、本発明の伝送システムの他の実施例の構成を示すブロック図である。送信所７１５、７２５および７３５は、図７と構成および動作が同じであるので説明を省略する。また、図８においても、図５の番組表および図６のタイムチャートは同一のものを使用する。また、図７と同様に、各放送局において、広域番組の放送局を親局であり、他のｉ地方とii地方の放送局はその子局である。
【００３７】
図８において、広域番組の放送局のスタジオには、図７に比較して、広域番組の放送局の番組を編集または制作するスタジオの伝送装置（広域伝送ＴＸ）７１１の前段に、縮小器８５２、記録再生指定部８５１、および切替選択部８５３が挿入されて構成される。
即ち、広域番組のスタジオにおいて、縮小器８５２は、スタジオ内で編集または制作された広域番組を入力され、入力された広域番組のデータ量を縮小し、記録再生指定部８５１に出力する。記録再生指定部８５１は、スタジオ内で編集または制作された広域番組を入力され、入力された番組それぞれに対して、ユーザの入力若しくは上位機器（図示しない）からの制御に基づいて、番組の記録先と放送する時間を指定して、切替選択部８５３に出力する。なお、縮小器８５２が縮小するデータ量は、例えば、１〜２割程度である。
【００３８】
また、図８において、ｉ地方向けの放送局のスタジオとii地方向けの放送局のスタジオの構成において、図７と比較して、伝送装置７２１および７３１が除去されている。
即ち、ｉ地方向けの放送局のスタジオでは、縮小器８６２は、スタジオ内で編集または制作されたｉ地方向けのローカル番組を入力され、入力されたローカル番組のデータ量を縮小し、記録再生指定部７６１に出力する。記録再生指定部７６１は、入力されたローカル番組それぞれに対して、ユーザの入力若しくは上位機器（図示しない）からの制御に基づいて、番組の記録先と放送する時間を指定して、ｉ−広域回線を介して切替選択部８５３に出力する。
また、ii地方向けの放送局のスタジオでは、縮小器８７２は、スタジオ内で編集または制作されたii地方向けのローカル番組を入力され、入力されたローカル番組のデータ量を縮小し、記録再生指定部７７１に出力する。記録再生指定部７７１は、入力されたローカル番組それぞれに対して、ユーザの入力若しくは上位機器（図示しない）からの制御に基づいて、番組の記録先と放送する時間を指定して、ii−広域回線を介して切替選択部８５３に出力する。
なお、ｉ−広域回線およびii−広域回線は、例えば、マイクロ波回線、若しくは光ファイバ回線である。
【００３９】
切替選択部８５３は、入力されたそれぞれの番組を、例えば、図６の番組表６１０の如く順番に、広域の伝送装置７１１に出力する。伝送装置７１１は、入力された番組を衛星８１３に送信する。衛星８１３は、受信された番組を図５〜図７で説明したように中継して、それぞれの送信所７１５、７２５、および７３５に送信する。
即ち、切替選択部８５３は、衛星が中継する衛星通信用電波信号の時分割多重の時間配分（各番組の縮小比率、広域番組に対するｉ地方向けローカル番組とii地方向けローカル番組の番組割合）に応じて、出力切替を行う。
例えば、縮小率を、“縮小率”＝“対象全伝送時間”／“番組時間数”とする。
【００４０】
図８の実施例によれば、図５〜図７の実施例と同様に、１ｃｈの衛星帯域（伝送媒体）を用いて、スタジオから送信所に広域番組とローカル番組とを中継できるため、衛星を使用してスタジオから送信所へ放送番組を送信する伝送システムにおいて、複数の放送局における伝送媒体（衛星帯域）の節約することができる。
さらに、図８の実施例によれば、番組をスタジオから衛星中継するルートが同一となり、管理し易い。また、スタジオの伝送装置が１つとなるため、伝送衛星の方向制御が不要となる。
なお、図８において、衛星が中継する総伝送レートが、広域番組、ｉ地方向けローカル番組、およびii地方向けローカル番組を合計したデータ量を十分伝送可能であれば、縮小器を使用する必要はない。
【００４１】
次に、図９は、図８の実施例に、スケジューラを追加した本発明の伝送システムの一実施例を説明する。図９は、本発明の伝送システムの一実施例の構成を示すブロック図である。
図９の伝送システムの構成は、図８の伝送システムに、スケジューラ９０１を追加し、スケジューラ９０１に設定されたスケジュールに基づいて、縮小器８５２、８６２および８７１、並びに、切替選択部８５３を制御するようにしたものである。
例えば、スケジューラ９０１は、衛星が中継する衛星通信用電波信号の時分割多重の時間配分（各番組の縮小比率、広域番組に対するｉ地方向けローカル番組とii地方向けローカル番組の番組割合）を変更するように、制御する。
即ち、スケジューラ９０１は、広域番組の放送局の縮小器８５２、ｉ地方向けの放送局の縮小器８６２、ii地方向けの放送局の縮小器８７２には、設定されたスケジュールに基づいて各番組毎に縮小率の変更制御を行い、放送時間の割にはデータ量の多い番組データのデータ量については、大きく縮小し、放送時間の割にはデータ量の少ない番組データのデータ量については、小さく縮小するように制御する。このように、放送時間当たりの縮小率を変更する。
また、スケジューラ９０１は、切替制御部８５３に対して、設定されたスケジュールに基づいて、切替再生指定部８５１、切替再生指定部７６１、および切替再生指定部７７１から入力される番組のいずれかを選択するように切替制御部８５３を制御する。
切替選択部８５３は、入力された番組それぞれを、例えば、図６の番組表６１０の如く順番に、広域の伝送装置７１１に出力する。伝送装置７１１は、入力された番組を衛星８１３に送信する。衛星８１３は、受信された番組を図５〜図７で説明したように中継して、それぞれの送信所７１５、７２５、および７３５に送信する。
【００４２】
図９の実施例によれば、図５〜図７の実施例と同様に、１ｃｈの衛星帯域（伝送媒体）を用いて、スタジオから送信所に広域番組とローカル番組とを中継できるため、衛星を使用してスタジオから送信所へ放送番組を送信する伝送システムにおいて、複数の放送局における伝送媒体（衛星帯域）の節約することができる。しかも、図８に比べて、スケジューラにより、個々の番組毎に縮小率を任意にかつ容易に変更することができ、番組のデータ量をより適切に縮小することができる。
さらに、図９の実施例によれば、スケジューラを備えるため、図８以上に番組をスタジオから衛星中継するルート管理が容易となる。また、図８と同様にスタジオの伝送装置が１つとなるため、伝送衛星の方向制御が不要となる。
なお、図９において、衛星が中継する総伝送レートが、広域番組、ｉ地方向けローカル番組、およびii地方向けローカル番組を合計したデータ量を十分伝送可能であれば、縮小器を使用する必要はない。
【００４３】
なお、スケジューラ９０１は、親局である広域番組の放送局に設けられる、例えば、スタジオより、さらに上位の管理センタから制御される。また、スケジューラ９０１をそれぞれの放送局とは独立に設け、各放送局をスケジュール管理するようにしても良い。
【００４４】
次に、本発明の伝送システムにおいて使用する、縮小器８５２、８６２及び８７３（図８および図９参照）、記録再生指定部３６１、２７２、７６１、７７１および８５１（図３、図７、図８及び図９参照）、再生制御器３２７、３３７、７１７、７２７および７３７（図３、図７、図８および図９参照）、選択器３２９、３３９、７１９、７２９および７３９（図３、図７、図８および参照）の構成の一実施例について、図１０〜図１４を用いて説明する。
図１０と図１１は、それぞれ、本発明の伝送システムの縮小器の一実施例の構成を示すブロック図である。図１２は、本発明の伝送システムの記録再生の一実施例の構成を示すブロック図である。図１３は、本発明の伝送システムの再生制御器の一実施例の構成を示すブロック図である。図１４は、本発明の伝送システムの選択器（ＳＷ）の一実施例の構成を示すブロック図である。
【００４５】
図１０の本発明の縮小器の一実施例において、番組のデータは、縮小器１０１０のＮＵＬＬ検出部１０１１とＮＵＬＬ削除部１０１２に入力する。ＮＵＬＬ検出部１０１１は、入力された番組のデータから、不要なＮＵＬＬを検出し、検出したＮＵＬＬのアドレスを示す信号をＮＵＬＬ削除部１０１２に出力する。ＮＵＬＬ削除部１０１２は、入力された番組のデータから、ＮＵＬＬ検出部１０１１のアドレスに基づいて、不要なＮＵＬＬを削除してＰＣＲ補正部１０１３に出力する。
以上のように、番組のデータからＮＵＬＬを削除することにより、番組のデータに含まれるＰＣＲ（Program Clock Reference）値の補正を行う必要がある。ＰＣＲは、番組のデータ（（ＴＳ：Transport Stream）信号）に含まれる映像および音声の圧縮データの基準となる時間情報であり、所定の周波数（例えば、２７［ＭＨｚ］）のクロックに同期したカウンタ値である。ＮＵＬＬを削除または追加した場合には、その標準時刻にずれが生じる。そこで、ＰＣＲ補正部１０１３は、入力された番組のデータに含まれるＰＣＲ値を補正して、補正した時間情報の番組のデータとして、縮小器１０１０から出力する。
【００４６】
次に、図１１によって、本発明の別の縮小器の一実施例を説明する。図１１において、番組のデータは、縮小器１１００のデコーダ１１０１に入力する。デコーダ１１０１は、入力された番組のデータをデコードし、元のデータ量の番組に戻し、エンコーダ１１０２に出力する。エンコーダ１１０２は、入力されたデータについて、圧縮比を大きくして再度エンコードし、縮小器１１００から出力する。
このように、縮小器に入力された番組のデータの圧縮比より、圧縮比を大きくした番組のデータとすることにより、データ量の縮小を行う。
【００４７】
次に、図１２によって、本発明の記録再生指定部の一実施例を説明する。図１２において、番組のデータは、記録再生指定部１２００のパケット挿入（ＮＵＬＬ置換）部１２０１に入力する。
さらに、パケット挿入部１２０１には、この入力された番組について、ユーザの入力若しくは上位機器（例えば、スケジューラ）からの制御に基づいて指定される、記録先と再生時刻の情報が入力される。
パケット挿入（ＮＵＬＬ置換）部１２０１は、入力された番組のデータ毎に（例えば、ＴＳ信号のパケット毎に）、記録先と再生時刻とを、当該情報パケットとして挿入し、記録再生指定部１２００から出力する。
なお、図１〜図９の実施例では、上記記録先と再生時刻の情報パケットは、すべて衛星中継前の番組のデータに挿入していた。しかし、例えば、別経路（ネットワーク回線、等）から番組番号と当該スケジュールを別送するようにしても良い。
【００４８】
次に、図１３によって、本発明の再生制御器の一実施例を説明する。図１３において、送信所の受信装置から出力された放送用電波信号（例えば、ＴＳ信号）は、記録再生指定部１３００の内部の各番組毎の再生制御器（番組Ａ）１３０１、再生制御器（番組Ｂ）１３０２、・・・に入力される。それら内部の再生制御器１３０１、１３０２、・・・は、それぞれ、記録先情報部１３０１−１と再生開始時刻情報部１３０１−２とで構成されている（再生制御器１３０１で代表して図示および説明する）。
再生制御器１３０１は、番組Ａの番組を入力する。また、入力された番組は、再生制御器１３０１の中の、記録先情報部１３０１−１と再生開始時刻情報部１３０１−２とにそれぞれ入力される。なお、本発明では、記録先情報と再生開始時刻情報等の記録器、選択器を制御する情報を再生制御情報と呼ぶ。
記録先情報部１３０１−１は、入力された番組の記録先を抽出し、入力された番組の記録先が自送信所の記録器であるか否かを検出し、入力された番組の記録先が自送信所の記録器である場合には、記録命令を自送信所の記録器に出力する。また否であれば、記録命令を出力しない。
また再生開始時刻情報部１３０１−２は、入力された番組の再生開始時刻情報を抽出し、一致検出部１３０４に出力する。
時計部１３０３は、現在の時刻の情報を、それぞれの一致検出部１３０４、１３０５、・・・に出力する。一致検出部１３０４は、再生開始時刻部１３０１−２から入力された再生開始時刻情報と現在の時刻の情報を比較し、一致していれば再生命令を自送信所の記録器および選択器（ＳＷ）に出力する。
【００４９】
次に、図１４によって、本発明の選択器（ＳＷ）の一実施例を説明する。図１４において、入力１からは、受信装置から出力された放送用電波信号（例えば、ＴＳ信号）が切替部１４０１に入力される。また入力２からは、記録器から出力された放送用電波信号（例えば、ＴＳ信号）がレート変換部１４０２に入力される。さらに、入力３からは、再生制御器から出力された切替制御信号（再生制御情報）が切替部１４０１に入力される。
レート変換部１４０２は、入力された番組のデータ（放送用電波信号）に、ＩＳＤＢ−Ｔ規格の送信レート（若しくはＳＢＴＶＤ−Ｔ規格の送信レート）となるように、ＮＵＬＬを挿入し、ＰＣＲ補正部１４０３に出力する。ＰＣＲ補正部１４０３は、ＮＵＬＬを追加（挿入された）番組のデータ（ＴＳ信号）について、標準時刻のずれを補正するために、入力された番組のデータに含まれるＰＣＲ値を補正して、補正した時間情報の番組のデータとして、切替部１４０１に出力する。
切替部１４０１は、入力３から入力された切替制御信号に基づいて、受信装置から出力された放送用電波信号、または、記録器から、レート変換部１４０２およびＰＣＲ補正部１４０３を介して入力された放送用電波信号のいずれかを選択して、選択器１４００から出力する。
【符号の説明】
【００５０】
３１１：伝送装置（ＴＸ）、  ３１２：衛星（ｃｈ１）、  ３１３：受信装置（ＲＸ）、  ３１４：中継送信機、  ３１５：送信所、  ３２１：伝送装置（ＴＸ）、  ３２２：衛星（ｃｈ２）、  ３２３：受信装置（地方ＲＸ）、  ３２４：中継送信機、  ３２５：送信所、  ３２６：受信装置（広域ＲＸ）、  ３２７：再生制御器、  ３２８：記録器、  ３２９：選択器（ＳＷ）、  ３３１：伝送装置（ＴＸ）、  ３３３：受信装置（地方ＲＸ）、  ３３４：中継送信機、  ３３５：送信所、  ３３６：受信装置（広域ＲＸ）、  ３３７：再生制御器、  ３３８：記録器、  ３３９：選択器（ＳＷ）、  ３６１、３７１：記録再生指定部、  ７１１：伝送装置（広域ＴＸ）、  ７１２：衛星（ｃｈ１）、  ７１３：受信装置（ＲＸ）、  ７１４：中継送信機、  ７１５：送信所、  ７２１：伝送装置（広域ＴＸ）、  ７２４：中継送信機、  ７２５：送信所、  ７２６：受信装置（広域ＲＸ）、  ７２７：再生制御器、  ７２８：記録器、  ７２９：選択器（ＳＷ）、  ７３１：伝送装置（広域ＴＸ）、  ７３４：中継送信機、  ７３５：送信所、  ７３６：受信装置（広域ＲＸ）、  ７３７：再生制御器、  ７３８：記録器、  ７３９：選択器（ＳＷ）、  ７６１、７７１：記録再生指定部、  ８５１：記録再生指定部、  ８５２：縮小器、  ８５３：切替選択部、  ８６２、８７２：縮小器、  ９０１：スケジューラ、  １０１０：縮小器、  １０１１：ＮＵＬＬ検出部、  １０１２：ＮＵＬＬ削除部、  １０１３：ＰＣＲ補正部、  １１００：縮小器、  １１０１：デコーダ、  １１０２：エンコーダ、  １２００：記録再生指定部、  １２０１：パケット挿入（ＮＵＬＬ置換）部、  １３００：再生制御器、  １３０１、１３０２、・・・：再生制御器、  １３０１−１：記録先情報部、  １３０１−２：再生開始時刻情報部、  １３０３：時計部、  １３０４、１３０５、・・・：一致検出部、  １４００：選択器（ＳＷ）、  １４０１：切替部、  １４０２：レート変換部、  １４０３：ＰＣＲ補正部、  １５１１：伝送装置（ＴＸ）、  １５１２：衛星（ｃｈ１）、  １５１３：受信装置（ＲＸ）、  １５１４：中継送信機、  １５１５：送信所、  １５２１：伝送装置（ＴＸ）、  １５２２：衛星（ｃｈ２）、  １５２３：受信装置（ＲＸ）、  １５２４：中継送信機、  １５２５：送信所、  １５３１：伝送装置（ＴＸ）、  １５３２：衛星（ｃｈ２）、  １５３３：受信装置（ＲＸ）、  １５３４：中継送信機、  １５３５：送信所。
【図１】
0005642452.tif 000002
【図２】
0005642452.tif 000003
【図３】
0005642452.tif 000004
【図４】
0005642452.tif 000005
【図５】
0005642452.tif 000006
【図６】
0005642452.tif 000007
【図７】
0005642452.tif 000008
【図８】
0005642452.tif 000009
【図９】
0005642452.tif 000010
【図１０】
0005642452.tif 000011
【図１１】
0005642452.tif 000012
【図１２】
0005642452.tif 000013
【図１３】
0005642452.tif 000014
【図１４】
0005642452.tif 000015
【図１５】
0005642452.tif 000016
【図１６】
0005642452.tif 000017
【図１７】
0005642452.tif 000018